(57)【要約】【課題】  コンタクトのピッチ方向のスペースを有効利用でき、小型化できるコネクタを提供すること。【解決手段】  コンタクト１１と、該コンタクト１１を保持したインシュレータ２１とを備えたコネクタ１において、前記コンタクト１１は基部１３と、該基部１３に連接され該基部１３から形成した第１バネ部１５，１６と、該第１バネ部１５，１６の自由端から連接されて形成した第２バネ部１８とを有し、前記第２バネ部１８は前記第２バネ部１８の自由端付近に相手側コネクタ４１の相手コンタクト４３と接続する接触部１８ｄを有している。【選択図】図１
2005353358.tif 000002
【特許請求の範囲】
【請求項１】
導電性のコンタクトと、該コンタクトを保持したインシュレータとを備えたコネクタにおいて、前記コンタクトは前記インシュレータに保持した基部と、該基部の一縁辺に一端側が連接し該基部の上方に位置している側面略逆Ｕ字状の第１バネ部と、該第１バネ部の自由端に連接して前記基部の前記一縁辺の延長方向へ延びて前記第１バネ部よりも前方へ突き出すよう曲げられて延びている第２バネ部とを有し、該第２バネ部は前記インシュレータの外へ突き出している前記第２バネ部の自由端付近に相手側コネクタの相手コンタクトと接続する接触部を有していることを特徴とするコネクタ。
【請求項２】
請求項１記載のコネクタにおいて、前記コンタクトは一対の前記第１バネ部を有し、前記第２バネ部は一対の前記第１バネ部間に位置していることを特徴とするコネクタ。
【発明の詳細な説明】
【技術分野】
【０００１】
本発明は、相手側コネクタと接続するコネクタに関し、特にコンタクトにワイピング効果をもたらすコネクタに関する。
【背景技術】
【０００２】
従来のコネクタとしては、接触子が結線部から自由端に向け、固定部、バネ部、接触部そして被案内部を接触部保持体の収容溝内にて順次有しているコネクタがある。
【０００３】
固定部は収容溝内面にて固定保持され、接触部は凸湾曲形成されて接触子保持体の開口部から突出し、バネ部は固定部と接触部との間で弾性撓み変形可能に湾曲形成され、被案内部はコネクタの嵌合方向に対して傾いた方向に延びていて開口部の縁部に形成された案内部にて摺動自在に支持されており、接触部と固定部とは嵌合方向に対して直角方向に距離をもって位置している（例えば、特許文献１を参照）。
【０００４】
【特許文献１】特開平１１−７４０１４号公報
【発明の開示】
【発明が解決しようとする課題】
【０００５】
しかしながら、従来のコネクタでは、結線部、固定部から自由端まで帯板形状に屈曲伸展するバネ許容空間に配して所望のバネ性の実現を図っているので、変形能力を向上させようとすると、バネ許容空間の中で屈曲させるバネ形状が複雑に曲げられたものとなり加工が困難であるという問題がある。
【０００６】
また、一般に大きい変形のバネ部は、必要以上にワイピング効果が大きくなるので相手側接触部の小型化が困難である。
【０００７】
それ故に、本発明の課題は、コンタクトのピッチ方向のスペースを有効利用でき、小型化できるコネクタを提供することにある。
【０００８】
また、本発明の他の課題は、ワイピング量をコントロールしながら、十分な変形性能を発揮するコネクタを提供することにある。
【課題を解決するための手段】
【０００９】
本発明は、導電性のコンタクトと、該コンタクトを保持したインシュレータとを備えたコネクタにおいて、前記コンタクトは前記インシュレータに保持した基部と、該基部の一縁辺に一端側が連接し該基部の上方に位置している側面略逆Ｕ字状の第１バネ部と、該第１バネ部の自由端に連接して前記基部の前記一縁辺の延長方向へ延びて前記第１バネ部よりも前方へ突き出すよう曲げられて延びている第２バネ部とを有し、該第２バネ部は前記インシュレータの外へ突き出している前記第２バネ部の自由端付近に相手側コネクタの相手コンタクトと接続する接触部を有していることを特徴とするコネクタであることを最も主要な特徴とする。
【発明の効果】
【００１０】
本発明のコネクタによれば、第１及び第２バネ部により、バネの変形時の角度的変位を打ち消し合わせながらワイピング量をコントロールしつつ、十分な変形性能を発揮することができるとともに、コンタクトを小型化することができるためコネクタ自体をも小型化できる。
【００１１】
また、本発明の他の課題は、コンタクトのピッチの大きなコネクタで、ピッチ方向にバネを並べることにより、ピッチ方向のスペースを有効利用したコネクタを提供することができるという利点がある。
【発明を実施するための最良の形態】
【００１２】
本発明のコネクタは、導電性のコンタクトと、該コンタクトを保持したインシュレータとを具備しており、前記コンタクトは前記インシュレータに保持した基部と、該基部の一縁辺に一端側が連接し該基部の上方に位置している側面略逆Ｕ字状の第１バネ部と、該第１バネ部の自由端に連接して前記基部の前記一縁辺の延長方向へ延びて前記第１バネ部よりも前方へ突き出すよう曲げられて延びている第２バネ部とを有し、該第２バネ部は前記インシュレータの外へ突き出している前記第２バネ部の自由端付近に相手側コネクタの相手コンタクトと接続する接触部を有していることにより実現した。
【実施例１】
【００１３】
以下、図面を参照して、本発明に係るコネクタの実施例１を説明する。図１は、実施例１におけるコネクタと、このコネクタに接続する相手側コネクタとを接続前の状態で示している。図２は、図１に示したコンタクトを示している。
【００１４】
図１及び図２を参照して、コネクタ１は、導電性のコンタクト１１と、コンタクト１１を保持したインシュレータ３１とを備えている。
【００１５】
コンタクト１１は、平板形状の基部１３と、基部１３の一縁辺１３ａに連接されている一対の第１バネ部１５，１６と、第１バネ部１５，１６の自由端に連接されて基部１３の一縁辺１３ａの延長方向へ延びて第１バネ部１５，１６よりも前方へ突き出すよう曲げられて延びている第２バネ部１８とを有している。
【００１６】
一対の第１バネ部１５，１６及び第２バネ部１８は、これらが帯板形状であり、いずれも同じ形状となっており、基部１３の一縁辺１３ａに平行な方向で互いに間隔をもって基部１３の一縁辺１３ａに接続されている。
【００１７】
一対の第１バネ部１５，１６のそれぞれは、基部１３の一縁辺１３ａから基部１３よりも上方へ延びているバネ板部１５ａ、１６ａと、このバネ板部１５ａ、１６ａの延在端から曲げられてバネ板部１５ａ、１６ａのそれぞれに対向するように基部１３上へ延びている付加バネ板部１５ｂ，１６ｂとを有している。
【００１８】
バネ板部１５ａ、１６ａの板面は、基部１３側へ少し傾きをもって基部１３よりも上方へ延びている。付加バネ板部１５ｂ，１６ｂは、基部１３に対し板面が略垂直方向になるように延びている。
【００１９】
したがって、バネ板部１５ａ、１６ａ及び付加バネ板部１５ｂ，１６ｂは、側面から見ると基板１３側へ互いに間隔が広くなるように略逆Ｕ字形状を呈している。一対の第１バネ部１５，１６において、付加バネ板部１５ｂ，１６ｂの自由端間は、板形状の連結板部２１によって接続されている。
【００２０】
第２バネ部１８は帯板形状であり、基部１３の後方側で基部１３上に対向している付加バネ板部１３ｂの自由端間の連結板部２１に接続されている。第２バネ部１８は、連結板部２１から延びている接触保持板部１８ａと、接触保持板部１８ａの上端から延びている連結バネ板部１８ｂと、連結バネ板部１８ｂの先端に接続されて延びている接触バネ部１８ｃと、接触バネ部１８ｃの自由端付近に形成されている接触部１８ｄとを有している。
【００２１】
接触保持板部１８ａは、連結板部２１から基部１３に対して離れる方向で、付加バネ板部１３ｂの板面と略平行に上方へ延びている。連結バネ板部１８ｂは、接触保持板部１８ａの上端からバネ板部１５ａ，１６ａの上部間側へ板面が少し傾いた状態に曲げられて延びている。接触バネ部１８ｃは、基部１３の一縁辺１３ａよりも前方でバネ板部１５ａ，１６ａの外側の板面よりも前方に延びておりかつ連結バネ板部１８ｂよりも下方へ斜めに曲げられて延びている。
【００２２】
接触部１８ｄは、接触バネ部１８ｃの自由端付近を内向きに湾曲形状に曲げられている。接触部１８ｄが湾曲形状に曲げられている部分の外面は、図１に示した相手側コネクタ４１の相手コンタクト４３と接続する部分となる。
【００２３】
したがって、連結バネ板部１８ｂと接触バネ部１８ｃとは、側面から見る基板１３側へ互いに間隔が広くなるように略への字形状に近い形状を呈している。
【００２４】
上述したコンタクト１１は、一枚の導電板をプレスによって所定の展開形状に打ち抜いた後に、曲げ加工を施すことによって製作する。
【００２５】
インシュレータ３１は、樹脂材料を用いて成形加工することによって、図１に一例と示したような略箱形状の形態を作ることができる。この際、コンタクト１１の基部１３は、インシュレータ３１を成形加工するときに同時に保持することができる。
【００２６】
インシュレータ３１の内部には、基部１３の先端部を除くコンタクト１１が収納される。このインシュレータ３１の前方の壁部３３には、開口部３５が形成されている。接触部１８ｄを含む接触バネ部１８の先端部分は、開口部３５から壁部３３の外へ突き出している。
【００２７】
基部１３の一部は、インシュレータ３１の外へ延びている部分がケーブルの導体に接続されるか、図示しないプリント基板の回路に半田によって接続される部分となる。
【００２８】
一方、相手側コネクタ４１は、前述したように、相手側インシュレータ４５に導電性の相手側コンタクト４３が保持されている。相手側コンタクト４３は、相手側インシュレータ４５に保持されている相手側基部４３ａと、相手側基部４７の一端側から相手側インシュレータ４５の相手側壁部４９に沿って延びている相手側接触部４３ｂとを有している。
【００２９】
相手側基部４３ａの一部は、相手側インシュレータ４５の外へ延びている部分がケーブルの導体に接続されるか、図示しないプリント基板の回路に半田によって接続される部分となる。
【００３０】
以下、コネクタ１と相手側コネクタ４１との接続過程の一例を説明する。相手側コネクタ４１を固定される側であるレセプタクル側として、コネクタ１をプラグ側とした場合には、コネクタ１を移動させてコンタクト１１の接触部１８ｄを相手側コンタクト４３の相手側接触部４３ｂに当接させる。その後、コネクタ１を相手側コネクタ４１側へ押圧することによって、コンタクト１１と相手側コンタクト４３とが接触する。
【００３１】
接触部１８ｄと相手側接触部４３ｂとが接触する際には、第２バネ部１８が第１バネ部１５，１６よりも大きく変位し、第１バネ部１５，１６及び第２バネ部１８により、バネの変形時の角度的変位を打ち消し合わせながらワイピング量をコントロールしつつ十分な変形性能を発揮する。
【００３２】
即ち、コネクタ１では、接触部１８ｄが変位すると同時にこれと直角方向にも変位し、相手側接触部４３ｂとの間に摺接をもたらし、その結果、接触部１８ｄ及び相手側接触部４３ｂ間にてワイピングされ塵埃などが除去される。
【００３３】
なお、この実施例１では、一対の第１バネ部１５，１６を一例として示したが、一対の第１バネ部１５，１６うちの一方と第２バネ部１８とをもつ形状であってもよい。
【００３４】
本実施例では、連結板部２１の端部がインシュレータ３１の壁に当接しているが、接触部１８ｄが変位した際に当接するようにしても、あるいは接触部１８ｄが変位しても連結板部２１がインシュレータ３１の壁に当接しないように構成しても良い。
【産業上の利用可能性】
【００３５】
本発明のコネクタは、電子機器に搭載して電子機器の内部に設けられているバッテリに接続し、外部機器である充電器側に設けられている相手コンタクトに着脱可能に接触させることによりバッテリへの充電を行うようなバッテリ用コネクタとしての用途としても適用できる。
【図面の簡単な説明】
【００３６】
【図１】本発明に係るコネクタと、コネクタに接続する相手側コネクタとを示す断面図である（実施例１）。
【図２】図１に示したコンタクトを示した斜視図である。
【符号の説明】
【００３７】
１    コネクタ
１１    コンタクト
１３    基部
１５，１６    第１バネ部
１５ａ，１６ａ    バネ板部
１５ｂ，１６ｂ    付加バネ板部
１８    第２バネ部
１８ａ    接触保持板部
１８ｂ    連結バネ板部
１８ｃ    接触バネ部
１８ｄ    接触部
２１    連結板部
３１    インシュレータ
３５    開口部
４１    相手側コネクタ
４３    相手側コンタクト
４３ｂ    相手側接触部
４５    相手側インシュレータ
【図１】
2005353358.tif 000003
【図２】
2005353358.tif 000004